(57)【要約】【課題】表示部の表示領域を拡大する方法に改善の余地が残されていた。【解決手段】そこで、第１および第２の表示部と、前記第１および第２の表示部の表示内容をそれぞれ制御する制御部とを有し、前記制御部は、前記第１の表示部に表示される表示内容に関連する操作キーを状態情報と共に前記第２の表示部に表示し、前記操作キーによる入力に対応して前記第１の表示部に表示される表示内容を変更することを特徴とする端末装置を提供する。【選択図】図１
2005191834.tif 000002
【特許請求の範囲】
【請求項１】
第１および第２の表示部と、
前記第１および第２の表示部の表示内容をそれぞれ制御する制御部とを有し、
前記制御部は、前記第１の表示部に表示される表示内容に関連する操作キーを状態情報と共に前記第２の表示部に表示し、前記操作キーによる入力に対応して前記第１の表示部に表示される表示内容を変更することを特徴とする端末装置。
【請求項２】
請求項１において、
前記第２の表示部に表示される状態情報は、電源が入っていれば視認可能であることを特徴とする端末装置。
【請求項３】
請求項１において、
前記制御部は、更に、前記表示内容に付随して表示される付随表示がある場合、該付随表示を前記第２の表示部に表示することを特徴とする端末装置。
【請求項４】
請求項１又は請求項２において、
前記操作キーはタッチパネルであることを特徴とする端末装置。
【請求項５】
請求項１乃至請求項４のいずれかにおいて、
前記状態情報には、電池の残量レベル、電波受信状態、日時、マナーモードの設定状態を示すアイコン、アラーム設定状態を示すアイコン、応答できなかった着信の存在を示すアイコン、留守番電話に残されたメッセージの存在を示すアイコン、インターネット接続状態であることを示すアイコンのいずれかが含まれることを特徴とする端末装置。
【請求項６】
請求項１乃至請求項５のいずれかにおいて、
前記第１の表示部は第１の筐体に配置され、
前記第２の表示部は第２の筐体に配置され、
更に、前記第１の筐体と前記第２の筐体を接続する接続部を有し、
前記第１の筐体と前記第２の筐体が前記接続部を介して折畳み可能に接続され、
折畳み状態で前記第２の表示部に視認可能に前記状態情報が表示されることを特徴とする端末装置。
【発明の詳細な説明】
【技術分野】
【０００１】
本発明は、少なくとも２つの表示部を有する端末装置に関する。
【背景技術】
【０００２】
現在携帯電話（PHS(Personal Handyphone System)を含む）にとって、液晶画面等の表示部が欠かせないものとなっている。なぜなら、ユーザが電話（テレビ電話を含む）をし、スケジュール帳やアドレス帳を読み出して内容を確認し、メニューを呼び出して各種設定を行い、電子メールを読み書きし、ウェブコンテンツを閲覧し、静止画・動画を観賞するといった各種操作を行う際のインタフェースとなっているからである。そして、ユーザにとっての見やすさや使い勝手を考慮すると、上記の操作に対してできるだけ表示部を広く使うことが望ましい。
【０００３】
ところが、従来の携帯電話の表示部には、電池の残量レベル、電波受信状態、日時、マナーモード（着信を音以外の手段（振動、発光等）で通知するモード）の設定状態を示すアイコン、アラーム設定状態を示すアイコン、応答できなかった着信（電話、電子メール、ファクシミリ等）の存在を示すアイコン、伝言メモ（留守番電話に残されたメッセージ）の存在を示すアイコン、インターネット接続状態であることを示すアイコン等のいわゆるステータス情報、あるいは携帯電話の入力手段（ボタン、キー等）に割り当てられた機能を示すガイダンス情報が液晶画面内の上下の一帯を占めるように表示される。
【０００４】
そこで、表示部の表示領域を拡大する方法として、特許文献１には、２つの表示部（メイン画面とサブ画面）を有する折畳み式携帯電話において、折畳み状態に関係なく視認できるサブ画面にガイダンス情報を表示させることで、従来ガイダンス情報が表示されていた表示領域分メイン画面を拡大することが記載されている。
【特許文献１】特開２００２−３６９２５２号公報
【発明の開示】
【発明が解決しようとする課題】
【０００５】
しかしながら、従来例においては、依然としてステータス情報が（メイン）表示部に表示され、表示部全体を使用して、電子メールの読み書きを行ったり、ウェブコンテンツを閲覧したり、静止画・動画を観賞するには至っておらず改良の余地が残されていた。
【０００６】
そこで本発明の目的は、電子メール本文やウェブコンテンツの閲覧、静止画・動画の鑑賞あるいは撮影に際し、（メイン）表示部全体を使用してそれらの操作を行うことができる端末装置及び表示方法を提供することにある。
【課題を解決するための手段】
【０００７】
上記目的は、本発明の第一の態様として、第１および第２の表示部と、前記第１および第２の表示部の表示内容をそれぞれ制御する制御部とを有し、前記制御部は、前記第１の表示部に表示される表示内容に関連する操作キーを状態情報と共に前記第２の表示部に表示し、前記操作キーによる入力に対応して前記第１の表示部に表示される表示内容を変更することを特徴とする端末装置を提供することにより達成される。
【０００８】
また上記目的は、本発明の第二の態様として、第一の態様において、前記第２の表示部に表示される状態情報は、電源が入っていれば視認可能であることを特徴とする端末装置を提供することにより達成される。
【０００９】
また上記目的は、本発明の第三の態様として、第一の態様において、前記制御部は、更に、前記表示内容に付随して表示される付随表示がある場合、該付随表示を前記第２の表示部に表示することを特徴とする端末装置を提供することにより達成される。
【００１０】
また上記目的は、本発明の第四の態様として、第一又は第二の態様において、前記操作キーはタッチパネルであることを特徴とする端末装置を提供することにより達成される。
【００１１】
また上記目的は、本発明の第五の態様として、第一乃至第四の態様のいずれかにおいて、前記状態情報には、電池の残量レベル、電波受信状態、日時、マナーモードの設定状態を示すアイコン、アラーム設定状態を示すアイコン、応答できなかった着信の存在を示すアイコン、留守番電話に残されたメッセージの存在を示すアイコン、インターネット接続状態であることを示すアイコンのいずれかが含まれることを特徴とする端末装置を提供することにより達成される。
【００１２】
また上記目的は、本発明の第六の態様として、第一乃至第五の態様のいずれかにおいて、前記第１の表示部は第１の筐体に配置され、前記第２の表示部は第２の筐体に配置され、更に、前記第１の筐体と前記第２の筐体を接続する接続部を有し、前記第１の筐体と前記第２の筐体が前記接続部を介して折畳み可能に接続され、折畳み状態で前記第２の表示部に視認可能に前記状態情報が表示されることを特徴とする端末装置を提供することにより達成される。
【発明の効果】
【００１３】
本発明によれば、第１の表示部（メイン画面）にステータス情報やガイダンス情報が表示されることはなく、画面全体を有効に活用することができ、これらの情報が表示されている場合に比べ画面のレイアウトがすっきりして、見易さが向上する。更に、第１の表示部の表示内容に付随して表示される付随表示が第２の表示部（サブ画面）に表示されることで、より第１の表示部の表示面積が拡大する。
【００１４】
例えば、テレビ電話を使用する場合、従来は１画面中に通信先端末の撮影画像（相手の顔）と自端末の撮影画像（自分の顔）が表示されているが、相手の顔をメイン画面に自分の顔をサブ画面に表示することで、実際に面と向かって話しているように感じることができ、臨場感が増す。また、電子メールに添付された画像ファイルをプレビューするのにサブ画面を使用することで、メイン画面には本文を表示し続けることができ、本文の表示面積が添付された画像ファイルに占領されることなく、画像ファイルを確認しながらメール本文を読むことができる。従ってユーザは、電子メール、ウェブコンテンツ、動画、静止画等をステータス情報やガイダンス情報に煩わされることなく存分に楽しむことができる。
【００１５】
また、第２の表示部（サブ画面）に設けられたタッチパネルに、第1の表示部の表示内容に応じて操作キーが表示されるため、ボタンレイアウトが整理されるほか、サブ画面に表示される操作キーが入力手段として機能するため、ガイダンス情報を表示する必要がなくなる。更に、第２の表示部を見ればユーザはステータス情報を確認できる。また、このステータス情報は、第２の表示部に上記付随表示が表示されてもステータス情報がレイヤ状に表示され、この場合もユーザはステータス情報を確認することができる。
【発明を実施するための最良の形態】
【００１６】
以下、本発明の実施の形態について図面に従って説明する。しかしながら、本発明の技術的範囲はかかる実施の形態に限定されるものではなく、特許請求の範囲に記載された発明とその均等物にまで及ぶものである。
【００１７】
以下、本発明の端末装置の一例として携帯電話（PHS(Personal Handyphone System)を含む）の場合を説明する。
【００１８】
図１は、本発明の実施形態における携帯電話（PHSを含む）の外観図であり、図１Ａ及び図１Ｂはフリップ型、図１Ｃ及び図１Ｄは折畳み型携帯電話を示している。図１Ａは、フリップ４を閉じた状態のフリップ型携帯電話を示している。この状態において、携帯電話のメイン画面１とサブ画面２の一部が視認できる。メイン画面１には、携帯電話を操作するためのメニューが表示され、選択されたメニューに対応するコンテンツが表示される。コンテンツの一例としては、電子メール、ウェブコンテンツ、静止画、動画、携帯電話の設定変更画面等がある。
【００１９】
また、フリップを閉じた状態でもサブ画面２の一部が視認できる。そして、その視認できる箇所に、電池の残量レベル、電波受信状態、日時、マナーモード（着信を音以外の手段（振動、発光等）で通知するモード）の設定状態を示すアイコン、アラーム設定状態を示すアイコン、応答できなかった着信（電話、電子メール、ファクシミリ等）の存在を示すアイコン、伝言メモ（留守番電話に残されたメッセージ）の存在を示すアイコン、インターネット接続状態であることを示すアイコン等のいわゆるステータス情報が表示される。
【００２０】
図１Ｂは、図１Ａの矢印方向にフリップ４を開いた状態を示す図である。フリップ４を開いた状態にすると、フリップ４に覆われていたサブ画面２の全体が確認できる。サブ画面２には、ステータス情報や操作キーが表示され、タッチパネルとなっている。操作キーは、メイン画面１の表示内容に合わせて変化する。サブ画面２に表示されるステータス情報や操作キーについては図２にて具体的に説明する。なお、図１Ｂの矢印方向にフリップを閉じることができる。
【００２１】
従って、図１Ａ及び図１Ｂの携帯電話を利用する利用者は、メイン画面１の表示内容に合わせて変化する操作キーに触れることにより、携帯電話への指示入力が可能である。また、フリップの開閉状態によらずにステータス情報を確認することができる。
【００２２】
また、フリップ４を開いた状態では、フリップ４に配置された入力ボタン３が現れる。入力ボタン３は、携帯電話操作用メニューを選択する際や発信時の電話番号あるいは電子メールアドレス等の入力の際に利用者からの指示内容を入力するのに使用され、電源ボタン（兼終話ボタン）、通話開始ボタン、ダイアル番号ボタン、入力間違いのときの取消ボタン（クリアボタン）等の入力ボタンが存在する。本実施形態の携帯電話には、他に、スピーカ（図示せず）、テレビ電話使用時に自端末からの映像（自分の顔）を撮影するカメラ（図示せず）、マイク（図示せず）、通信用アンテナ（図示せず）、写真撮影用カメラ（図示せず）等が設けられ、音声のみによる通話及び音声と映像を使用するテレビ電話機能による通話、ウェブコンテンツの受信、電子メールの送受信、静止画あるいは動画の撮影あるいは鑑賞等が行える。
【００２３】
図１Ｃは折畳み状態が解かれた、つまりオープン状態の折畳み型携帯電話を示す図である。図１Ｃに示されるように、携帯電話を開いた状態で、メイン画面１とサブ画面２を視認することができる。図１Ｃのメイン画面１には、携帯電話を操作するためのメニューが表示され、選択されたメニューに対応するコンテンツが表示される。コンテンツの一例としては、電子メール、ウェブコンテンツ、静止画、動画、携帯電話の設定変更画面等があり、図１Ｃには一例として、携帯電話操作用メニューがメイン画面１に表示されている。
【００２４】
サブ画面２には、ステータス情報や操作キーが表示され、タッチパネルとなっている。操作キーは、メイン画面１の表示内容に合わせて変化する。従って、利用者は、メイン画面１の表示内容に合わせて変化する操作キーに触れることにより、携帯電話への指示入力が可能である。
図１Ｃには一例として、方向選択キー（十字キー）と２つの処理キー（四角キー）、ステータス情報がサブ画面２に表示されている。
【００２５】
本実施形態の携帯電話には、他に、携帯電話操作用メニューを選択する際や発信時の電話番号あるいは電子メールアドレス等の入力の際に利用者からの指示内容を入力するのに使用される入力ボタン３、スピーカ（図示せず）、テレビ電話使用時に自端末からの映像（自分の顔）を撮影するカメラ６、マイク（図示せず）、通信用アンテナ（図示せず）、写真撮影用カメラ（図示せず）等が設けられ、音声のみによる通話及び音声と映像を使用するテレビ電話機能による通話、ウェブコンテンツの受信、電子メールの送受信、静止画あるいは動画の撮影あるいは鑑賞等が行える。入力ボタン３には、電源ボタン（兼終話ボタン）、通話開始ボタン、ダイアル番号ボタン、入力間違いのときの取消ボタン（クリアボタン）等が含まれる。
【００２６】
図１Ｄは折畳み状態を示す図である。メイン画面を有する第１の筐体とサブ画面を有する第２の筐体はヒンジ７を介して接続され、ヒンジ７を介して図１Ｄの矢印方向へ回転させると折畳むことができる。本実施形態の携帯電話は、図１Ｄに示されるように、折畳んだ状態でもサブ画面２の視認可能な箇所に表示されるステータス情報を確認できるようになっている。
【００２７】
図１に含まれる各図に示されるように、本実施形態においては、サブ画面２にステータス情報が表示され、サブ画面２がタッチパネルであることから、サブ画面２に表示される操作キーが入力手段として機能するため、ガイダンス情報を表示する必要がなくなる。従って、メイン画面全体をコンテンツの表示に使用でき、また、これらの情報（ステータス情報、ガイダンス情報）が表示されている場合に比べ画面のレイアウトがすっきりして、見易さが向上する。ステータス情報はサブ画面において常に視認可能な位置に表示され、フリップの状態や折畳み状態かどうかによって左右されることがない。
【００２８】
なお以降の説明は、端末装置の一例として、図１Ｃ及び図１Ｄに示される折畳み型携帯電話（PHSを含む）を利用して行う。
【００２９】
図２は、各表示部（メイン画面、サブ画面）の表示内容の具体例を示す図であり、図２Ａはメイン画面１に表示された携帯電話操作用メニューの表示例である。図２Ａでは、メニューとして９つの項目がアイコン１１として表示され、メイン画面１に表示されたカーソル１２を後述するサブ画面２に表示される操作キー（図２Ｃ参照、例えば十字キー１５）を操作して移動させることで選択対象が切り替わる。今カーソル１２がどのアイコン１１を選択しているかが領域１３に表示され、図２Ａでは、中央の「メール」が選択対象であることがわかる。利用者が選択対象のアイコンにカーソル１２を移動し決定することで、メニューが選択される。図２Ｂはメイン画面１に表示された携帯電話操作用メニューの別の表示例である。図２Ｂでは各項目がリスト状に表示され、先頭の番号を利用者が選択することで、メニューが選択される。
【００３０】
図２Ｃは、サブ画面２の表示例である。サブ画面２には、ステータス情報１４が表示され、電池の残量等が確認できる。ステータス情報１４の詳細は図２Ｄで説明する。図２Ｃのサブ画面２には他に、操作キーとして方向選択キー（十字キー）１５、「決定」キー１６が表示される。例えば、図２Ａに示されるカーソル１２を移動させるのに十字キー１５が使用され、選択対象のアイコンを決定するのに「決定」キー１６が使用される。なあ、サブ画面２は、タッチパネル５であり、操作キーに触れることで指示入力が行われる。
【００３１】
図２Ｄはステータス情報１４の表示部分を抜き出した表示例である。電池の残量レベル１７、電波受信状態１８、ネットワーク接続状態であることを示すアイコン２７、応答できなかった電話着信の存在を示すアイコン１９、伝言メモ（留守番電話に残されたメッセージ）の存在を示すアイコン２０、メール着信の存在を示すアイコン２１、マナーモード（着信を音以外の手段（振動、発光等）で通知するモード）の設定状態を示すアイコン２２、アラーム設定状態を示すアイコン２３、日付２４、曜日２５、時間２６が携帯電話の状態に応じて表示される。他に、ファクシミリ着信の存在を通知するアイコンが存在してもよい。
【００３２】
図３は、本実施形態の携帯電話（PHSを含む）の構成例を示すブロック図である。本実施形態の携帯電話は、アンテナ３１、送受信処理部３２、スピーカ３３、マイク３４、制御部３５、メモリ３６、メイン画面（第１の表示部）１、サブ画面（第２の表示部）２、折畳み検知部３７、タッチパネル５、カメラ６、入力ボタン３を備えている。
【００３３】
アンテナ３１は、基地局と無線電波の送受信を行う。送受信処理部３２は、マイク３４を介して入力される送信用音声やタッチパネル５あるいは入力ボタン３を介して入力されるデータを変調してアンテナ３１に出力し、アンテナ３１から受信した電波を復調してスピーカ３３に出力する。
【００３４】
制御部３５には、送受信処理部３２、メイン画面１、サブ画面２、折畳み検知部３７、タッチパネル５、カメラ６、入力ボタン３、メモリ３６を制御するCPUと制御に必要な情報が格納されたROMが含まれる。メイン画面１、サブ画面２は例えば液晶ディスプレイ等の表示装置であり、携帯電話に関するさまざまな情報が表示される。メモリ３６には、制御部３５が使用する作業データや着信履歴を表示するための着信情報等が格納される。折畳み検知部３７は、光センサや磁石、ヒンジの角度等を利用して折畳み状態かオープン状態か、そして状態の変化を検知する手段である。メイン画面１、サブ画面２の表示内容の制御は、制御部３５により行われるが、次にその制御動作の例を説明する。
【００３５】
図４は、本実施形態の携帯電話（PHSを含む）における、各画面の表示内容の動作制御例を示すフローチャートである。まず制御部３５は、メインメニューを起動するかを判定する（Ｓ１０）。メインメニューとは、携帯電話操作用メニューを呼び出すと最初に表示されるメニューであり、その項目は制御部３５のROMに格納される。ステップＳ１０は例えば、折畳み検知部３７が折畳み状態からオープン状態に変化したことを検知した場合に、肯定判定を行う。また、入力ボタン３としてメインメニュー呼出し用ボタンが用意され、それが押されたことを検知した場合、肯定判定を行うようにしてもよい。また、サブ画面２に操作キーとしてメインメニュー呼出し用キーが表示され、それが触れられたことを検知した場合、肯定判定を行うようにしてもよい。
【００３６】
ステップＳ１０が肯定判定（Ｓ１０Ｙｅｓ）の場合、制御部３５はメイン画面１にメインメニューを、サブ画面２にステータス情報１４とメインメニュー用操作キー（図２Ｃ参照、例えば十字キー１５）をそれぞれ表示する（Ｓ２０）。例えばメイン画面１には、図２Ａ、図２Ｂに示されるような表示内容が表示される。そして、サブ画面２には、図２Ｃに示されるような表示内容が表示される。ステップＳ１０が否定判定（Ｓ１０Ｎｏ）の場合、メインメニューの起動まで待機する。
【００３７】
次に利用者は、メニューから項目を選択し、タッチパネル等を操作してそれを入力する。選択された項目がタッチパネル５等を介して入力されると（Ｓ３０）、制御部３５はメイン画面１にその項目に対するサブメニューを、サブ画面２にステータス情報１４とサブメニュー用操作キー（図２Ｃ参照、例えば十字キー１５）をそれぞれ表示する（Ｓ４０）。
【００３８】
そして、利用者は、サブメニューからコンテンツを選択し、タッチパネル等を操作してそれを入力する。選択されたコンテンツがタッチパネル５等を介して入力されると（Ｓ５０）、制御部３５はメイン画面１にそのコンテンツを、サブ画面２にステータス情報１４とコンテンツ用操作キー（図２Ｃ参照、例えば十字キー１５）をそれぞれ表示する（Ｓ６０）。例えば、図２Ａあるいは図２Ｂと同じ表示形式で、表示内容がサブメニューに対応する項目に変更されたものがメイン画面１に表示され、図２Ｃに示される表示内容がサブ画面２に表示される。ステップＳ６０では、コンテンツに付随して表示されるサブコンテンツ（付随表示）がある場合、サブ画面２にサブコンテンツを表示することも可能である。サブコンテンツとしては、メールに添付された画像ファイルの内容、テレビ電話使用時の自分の顔等がある。
【００３９】
また、各ステップ（Ｓ１０、Ｓ２０、Ｓ３０、Ｓ４０、Ｓ５０、Ｓ６０）において、所定時間操作が行われない場合、電力消費を抑えるために携帯電話は、表示内容を少なくする省電力モードへ移行することもできる（Ｓ７０）。例えば、各表示部（メイン画面１、サブ画面２）において、液晶画面用バックライトが消灯し、表示内容が所定の待ち受け画面に切り替わり、あるいはステータス情報を残して無地の画面表示に切り替わる。そして、再びメインメニューの起動があれば、ステップＳ１０より動作を再開する。
【００４０】
なお、図４では、コンテンツが選択されるまでに、メインメニュー、サブメニューを経たが、メインメニューからいきなりコンテンツが選択される場合もある。その場合、ステップＳ３０、Ｓ４０は省略される。逆に、サブメニューの下位に更に複数のメニューが存在する場合には、コンテンツが選択されるまで、ステップＳ３０とステップＳ４０が複数回繰り返されることになる。
【００４１】
こうして、図４の表示制御により、サブ画面２には端末に電源が入っていればステータス情報１４が表示され、利用者は携帯電話の状態が確認できる。また、メイン画面１の表示内容に応じて、サブ画面２に表示される操作キー（図２Ｃ参照、例えば十字キー１５）が適宜変更され、入力ボタン３に特殊な役割を持たせることなく、各種操作を行うことができ、入力ボタン３のレイアウトをすっきりさせることが可能になる。
【００４２】
続いて、より具体的な例を各画面の表示内容と合わせて図５〜図７を用いて説明する。具体例として、メインメニューから「メール」を選択し、電子メールを読む場合を説明する。
【００４３】
図５は、メインメニューから「メール」を選択し、電子メールを読む場合を説明するフローチャートである。前提として、メインメニューの起動（図４のＳ１０Ｙｅｓ）は済んでいるものとして説明する。
【００４４】
そこで、制御部３５はメイン画面１にメインメニューを、サブ画面２にステータス情報１４とメインメニュー用操作キーをそれぞれ表示する（Ｓ２０）。メイン画面１に表示されるメインメニューは例えば、図２Ａや図２Ｂに示される。サブ画面２には、例えば図２Ｃに示されるステータス情報とメインメニュー用操作キーが表示される。
【００４５】
次に利用者は、メニューから「メール」を選択し、タッチパネル等を操作してそれを入力する（Ｓ３１）。例えば、図２Ｃに示される十字キー１５を操作して、図２Ａに示されるカーソル１２が「メール」に移動させ、図２Ｃの「決定」キー１６が触れられると、「メール」が選択されたことになる。「メール」の選択入力を受け、制御部３５はメイン画面１に「メール」に対するサブメニューを、サブ画面２にステータス情報とサブメニュー用操作キーをそれぞれ表示する（Ｓ４１）。
【００４６】
図６Ａは、メイン画面１に表示されるメールサブメニューと、サブ画面２に表示されるステータス情報及び操作キーの表示例である。「受信箱」は、受信した電子メールを読む場合に選択するメニューである。「送信箱」は、送信した電子メールを確認する場合に選択するメニューである。「新着確認」は、新たなメールの到着をメールサーバに手動取得する際に選択するメニューである。「設定変更」は、電子メール用の設定をする際に選択するメニューである。「添付画像サムネイル」は、電子メールに添付された画像ファイルをまとめてプレビューする場合に選択するメニューである。他のサブメニューが設定されていてもよい。一画面に収まりきらない場合は、スクロール表示される。図６Ａのサブ画面２には、十字キーと「決定」キーに加え、「戻る」キーが表示される。「戻る」キーは、メイン画面１の表示を１つ前の状態に戻すものである。
【００４７】
ここでは、「受信箱」が選択される（Ｓ３２）。ステップＳ３２での選択は、ステップＳ３１での選択同様十字キーと「決定」キーを用いて行われる。すると、「受信箱」の選択入力を受け、制御部３５はメイン画面１に「受信箱」に対する下位のサブメニューとして受信済みメールのリストを、サブ画面２にステータス情報と下位のサブメニュー用操作キーをそれぞれ表示する（Ｓ４２）。
【００４８】
図６Ｂは、メイン画面１に表示される受信済みメールのリストと、サブ画面２に表示されるステータス情報及び操作キーの表示例である。リストの各メールのヘッダ情報として、差出人（From）、日付（Date）、題名（Subject）が表示される。図６Ｂのサブ画面２には、図６Ａと同じく、十字キーと「決定」キーに加え、「戻る」キーが表示される。
【００４９】
そして、利用者は、受信済みメールのリストから読みたい電子メール（これがコンテンツとなる）を選択し、タッチパネル等を操作してそれを入力する（Ｓ５１）。ステップＳ５１の選択は、各電子メールに付属する番号を、入力ボタン３で特定してもよいし、ステップＳ３１同様、カーソル１２の移動・決定でもよい。
【００５０】
読みたい電子メールの選択情報がタッチパネル５等を介して入力されると、制御部３５はメイン画面１にメール本文を、サブ画面２にステータス情報１４とメール閲覧用操作キーをそれぞれ表示する（Ｓ６１）。
【００５１】
図６Ｃは、メイン画面１に表示される選択された電子メールの本文と、サブ画面２に表示されるステータス情報１４及びメール閲覧用操作キーの表示例である。図６Ｃのメイン画面１には、メールのヘッダ情報である、差出人（From）、日付（Date）、題名（Subject）と共にメールの本文が表示される。図６Ｃのサブ画面２には、それまでの十字キーを４つのパーツに分解したときの矢印キーと、「返信」、「削除」、「保護」、「編集」、「戻る」キーが表示される。「戻る」キーは、図６Ａと同じである。「返信」キーは、差出人に返信する場合に選択するキー、「削除」キーは、メモリ３６からその電子メールを削除する場合に選択するキー、「保護」キーは、誤って削除されないよう保護する場合に選択するキー、「編集」キーは、メモリ３６に差出人の情報等を保存する場合に選択するキーである。こうして、サブ画面に表示される操作キーは自由にその表示を変更することができる。もちろん、表示されるメニューは、図６Ｃの例に限定されるものではない。
【００５２】
ステップＳ６１では、電子メールに画像が添付されている場合、サブ画面２にサブコンテンツとして添付画像を表示することも可能である。その場合でも、添付画像は背景として表示され、ステータス情報が添付画像の上にレイヤ表示されるためステータス情報の確認は可能である。
【００５３】
また、図５では省略されているが、各ステップ（Ｓ１０、Ｓ２０、Ｓ３１、Ｓ４１、Ｓ３２、Ｓ４２、Ｓ５１、Ｓ６１）において、所定時間操作が行われない場合、電力消費を抑えるために携帯電話は、表示内容を少なくする省電力モードへ移行することもできる。
【００５４】
図７は、サブコンテンツ（付随表示）の具体例を説明する図であり、図７Ａはテレビ電話使用時の例である。図７Ａにおいては、メイン画面１に、コンテンツとして通信相手先端末が撮影する画像（相手の顔）が表示され、サブ画面２に、サブコンテンツとして自端末が撮影する画像（自分の顔）とステータス情報と操作キー（図２Ｃ参照、例えば十字キー１５）とが表示されている。こうして、メイン画面一杯に相手の顔が映し出され、コンテンツに必要のない表示はサブ画面に移されているため、コンテンツが非常に見やすい。また、より至近距離で話しているかのような感覚を利用者に与え、臨場感を増すことができる。また、ステータス情報と自分の顔がレイヤ状に表示されるので、自分の顔がサブ画面に表示されてもなお、ステータス情報の確認が可能である。
【００５５】
図７Ｂは、電子メール閲覧時の例である。図７Ｂにおいては、メイン画面１に、コンテンツとして電子メールの本文が表示され、サブ画面２にサブコンテンツとして電子メールに添付された画像とステータス情報１４と操作キー（図２Ｃ参照、例えば十字キー１５）とが表示されている。こうして、メイン画面一杯に電子メール本文が表示され、コンテンツが非常に見やすい。また、画面のスクロールをすることなく本文の内容が確認でき、便利である。また、添付画像を一度に確認でき、メール確認作業の効率が向上する。また、ステータス情報と添付画像がレイヤ状に表示されるので、添付画像がサブ画面に表示されてもなお、ステータス情報の確認が可能である。
【００５６】
図７Ｃは、Ｃは静止画閲覧時の例である。図７Ｃにおいては、メイン画面１に、コンテンツとして静止画が表示され、サブ画面２にステータス情報１４と操作キー（図２Ｃ参照、例えば十字キー１５）とが表示されている。こうして、メイン画面を広く使用して静止画が表示され、利用者は静止画を閲覧しやすい。なお、図７Ｃには、モード（静止画か動画か、閲覧か撮影かを示すもモード）を示すマークと枚数表示、時間表示がメイン画面下部の一帯に表示されているが、これらの情報はサブ画面２に表示することももちろん可能である。また、サブ画面でステータス情報の確認が可能である。
【００５７】
図７Ｄは、ゲーム遊戯時の例である。図７Ｄにおいては、メイン画面１に、コンテンツとしてゲーム映像が表示され、サブ画面２にステータス情報１４とメイン画面のキャラクタを操作するための操作キー（図２Ｃ参照、例えば十字キー１５）とが表示されている。こうして、メイン画面一杯にゲーム映像が表示され、コンテンツが非常に見やすい。また、サブ画面でステータス情報の確認が可能である。なお、ゲームに付随するサブコンテンツとして、例えば、キャラクタの被弾時にサブ画面を閃光させる等の特殊効果をメイン画面と共に表現してもよい。
【００５８】
以上本発明によれば、第１の表示部（メイン画面）にステータス情報やガイダンス情報が表示されることはなく、画面全体を有効に活用することができ、これらの情報が表示されている場合に比べ画面のレイアウトがすっきりして、見易さが向上する。更に、第１の表示部の表示内容に付随して表示される付随表示が第２の表示部（サブ画面）に表示されることで、より第１の表示部の表示面積が拡大する。
【００５９】
例えば、テレビ電話を使用する場合、従来は１画面中に通信先端末の撮影画像（相手の顔）と自端末の撮影画像（自分の顔）が表示されているが、相手の顔をメイン画面に自分の顔をサブ画面に表示することで、実際に面と向かって話しているように感じることができ、臨場感が増す。また、電子メールに添付された画像ファイルをプレビューするのにサブ画面を使用することで、メイン画面には本文を表示し続けることができ、本文の表示面積が添付された画像ファイルに占領されることなく、画像ファイルを確認しながらメール本文を読むことができる。従ってユーザは、電子メール、ウェブコンテンツ、動画、静止画等をステータス情報やガイダンス情報に煩わされることなく存分に楽しむことができる。
【００６０】
また、第２の表示部（サブ画面）に設けられたタッチパネルに、第1の表示部の表示内容に応じて操作キー（図２Ｃ参照、例えば十字キー１５）が表示されるため、ボタンレイアウトが整理されるほか、サブ画面に表示される操作キー（図２Ｃ参照、例えば十字キー１５）が入力手段として機能するため、ガイダンス情報を表示する必要がなくなる。更に、第２の表示部を見ればユーザはステータス情報を確認できる。また、このステータス情報は、第２の表示部に上記付随表示が表示されてもステータス情報がレイヤ状に表示され、この場合もユーザはステータス情報を確認することができる。
【００６１】
なお、本実施の形態においては、折畳み型携帯電話（PHSを含む）を一例として説明したが、本発明は、図１Ａに示されるフリップ型や、図８に示されるスライド型（図８Ａ及び図８Ｂ）、回転型（図８Ｃ及び図８Ｄ）等の携帯電話にも適用できる。図８Ａのスライド型携帯電話においては、カバー部８１に入力ボタン３が配置され、サブ画面２は一部を除いてカバー部８１により覆われている。カバー部８１を閉じても視認可能なサブ画面２にはステータス情報１４が表示される。カバー部８１を図８Ａの矢印方向にスライドさせると、サブ画面２の全体を視認することができる（図８Ｂ参照）。サブ画面２はタッチパネルであり、メイン画面１の表示内容に応じて操作キー（図２Ｃ参照、例えば十字キー１５）が表示され、メイン画面１を最大限コンテンツの表示に使用することができる。
【００６２】
図８Ｃの回転型携帯電話においては、メイン画面１を備えた第１の筐体８１の一部が切り欠けられており、その切り欠けによってサブ画面２の一部を視認することができる。図８Ｃの状態で視認可能なサブ画面２にはステータス情報１４が表示される。第１の筐体８１をヒンジ８２により図８Ｃの矢印方向に回動させると、図８Ｄのように端末を開いた状態にすることができる。この状態では、サブ画面２の全体を視認できる他、第１の筐体１に覆われて隠れていた入力ボタン３が現れる。サブ画面２はタッチパネルであり、メイン画面１の表示内容に応じて操作キー（図２Ｃ参照、例えば十字キー１５）が表示され、メイン画面１を最大限コンテンツの表示に使用することができる。
【００６３】
なお、フリップ（図１Ａ）４やカバー部８１のない携帯電話（ストレート型、図８Ｅ参照）であっても本発明を実施できることは言うまでもない。ストレート型の携帯電話は、メイン画面１、サブ画面２、操作ボタン３が共に１つの筐体に配置されているものである。
【００６４】
従って図１Ｃ及び図１Ｄに示される携帯電話に加えて、フリップ型、スライド型、回転型、ストレート型の携帯電話（PHSを含む）を使用しても、本発明と同じ効果が得られる。また、携帯電話に限らず、PDAに代表される携帯端末、液晶表示装置付き固定電話、ファクシミリ装置等の端末装置にも適用可能である。その場合、端末装置は、携帯電話同様、ストレート型、フリップ型、スライド型、回転型等さまざまな型が考えられるがいずれの型であっても適用可能である。
【図面の簡単な説明】
【００６５】
【図１】本発明の実施形態における端末装置の外観図であり、Ａはフリップを閉じた状態のフリップ型携帯電話を示す図、Ｂはフリップを開いた状態のフリップ型携帯電話を示す図、Ｃは折畳み状態が解かれた、つまりオープン状態の折畳み型携帯電話を示す図であり、Ｄは折畳み状態の折畳み型携帯電話を示す図である。
【図２】各表示部の表示内容の具体例を示す図であり、Ａは第１の表示部の第１の表示例、Ｂは第２の表示部の第２の表示例、Ｃは第２の表示部の表示例、Ｄは第２の表示部に表示されるステータス情報の表示例である。
【図３】本実施形態の携帯電話の構成例を示すブロック図である。
【図４】本実施形態の携帯電話における、各画面の表示内容の動作制御例を示すフローチャートである。
【図５】本実施形態の携帯電話における、各画面の表示内容の動作制御の具体例を説明するフローチャートである。
【図６】各画面の表示内容の遷移の具体例である。
【図７】付随表示の具体例を説明する図であり、Ａはテレビ電話使用時の例、Ｂは電子メール閲覧時の例、Ｃはカメラ撮影時の例、Ｄはゲーム遊戯時の例である。
【図８】本発明の別の実施形態の端末装置の外観図である。
【符号の説明】
【００６６】
１  メイン画面（第１の表示部）、２  サブ画面（第２の表示部）、３  入力ボタン、４  フリップ、５  タッチパネル、６  カメラ、７  ヒンジ、１１  アイコン、１２  カーソル、１３  カーソル選択物表示領域、１４  ステータス情報、１５  十字キー、１６  決定キー、１７  電池の残量レベル、１８  電波受信状態、１９  応答できなかった電話着信の存在を示すアイコン、２０  伝言メモの存在を示すアイコン、２１  メール着信の存在を示すアイコン、２２  マナーモードの設定状態を示すアイコン、２３  アラーム設定状態を示すアイコン、２４  日付、２５  曜日、２６  時間、２７  ネットワーク接続状態であることを示すアイコン２７、３１  アンテナ、３２  送受信処理部、３３  スピーカ、３４  マイク、３５  制御部、３６  メモリ、３７  折畳み検知部
【図１】
2005191834.tif 000003
【図２】
2005191834.tif 000004
【図３】
2005191834.tif 000005
【図４】
2005191834.tif 000006
【図５】
2005191834.tif 000007
【図６】
2005191834.tif 000008
【図７】
2005191834.tif 000009
【図８】
2005191834.tif 000010